(57)【要約】【課題】伸縮部及び板状部材を備える医療用針において、板状部材を押さえたときに発生し得る痛みを軽減しつつ、誤刺の発生を防止することが可能な医療用針を提供する。【解決手段】患者の皮下に埋め込まれたアクセスポートに穿刺するための医療用針であって、湾曲針１０と、基部２０と、ｚ軸方向に沿って伸縮可能に構成された伸縮部３０と、伸縮部３０における基部２０とは反対側に接続配置され、湾曲針１０を通過させる通過部６２を有する板状部材６０とを備える医療用針１。伸縮部３０は、伸縮部３０を最も伸ばしたときのｚ軸方向に沿った長さが、湾曲針１０の先端部から湾曲部までの長さ以上となるように構成されている。板状部材６０は、少なくともアクセスポートの上面端部の位置近傍でｚ軸方向に沿って屈曲可能に構成されている。【選択図】図１
2010162172.tif 000002
【特許請求の範囲】
【請求項１】
患者の皮下に埋め込まれたアクセスポートに穿刺するための医療用針であって、
所定角度に湾曲した湾曲部（１４）を有する湾曲針（１０）と、
前記湾曲針（１０）の一部が植設された基部（２０）と、
前記基部（２０）に設けられ、前記湾曲部（１４）から前記湾曲針の先端部（１６）に沿った第１方向に伸縮可能に構成された伸縮部（３０）と、
前記伸縮部（３０）における前記基部（２０）とは反対側に接続配置され、前記湾曲針（１０）を通過させる通過部（６２）を有する板状部材（６０）とを備え、
前記伸縮部（３０）は、前記伸縮部（３０）を最も伸ばしたときの前記第１方向に沿った長さが、前記湾曲針の先端部（１６）から前記湾曲部（１４）までの長さ以上となるように構成されており、
前記板状部材（６０）は、少なくとも前記アクセスポートの上面端部の位置近傍で前記第１方向に沿って屈曲可能に構成されていることを特徴とする医療用針（１）。
【請求項２】
患者の皮下に埋め込まれたアクセスポートに穿刺するための医療用針であって、
所定角度に湾曲した湾曲部（１４）を有する湾曲針（１０）と、
前記湾曲針（１０）の一部が植設された基部（２０）と、
前記基部（２０）に設けられ、前記湾曲部（１４）から前記湾曲針の先端部（１６）に沿った第１方向に伸縮可能に構成された伸縮部（３０）と、
前記伸縮部（３０）における前記基部（２０）とは反対側に接続配置され、前記湾曲針（１０）を通過させる通過部（６２）を有する板状部材（６０）とを備え、
前記伸縮部（３０）は、前記伸縮部（３０）を最も伸ばしたときの前記第１方向に沿った長さが、前記湾曲針の先端部（１６）から前記湾曲部（１４）までの長さ以上となるように構成されており、
前記板状部材（６０）を、前記通過部（６２）を含み前記アクセスポートの上面端部間に対応する中央領域（ＣＡ）と、前記アクセスポートの上面端部から前記板状部材（６０）の端縁までに対応する端部領域（ＥＡ）との２つの領域に分割したとき、
前記板状部材（６０）は、少なくとも前記中央領域（ＣＡ）と前記端部領域（ＥＡ）との境界部分で、前記第１方向に沿って屈曲可能に構成されていることを特徴とする医療用針（１）。
【請求項３】
請求項２に記載の医療用針において、
前記中央領域（ＣＡ）の最大長さが、１３ｍｍ〜２２ｍｍの範囲に設定されていることを特徴とする医療用針（１）。
【請求項４】
請求項１〜３のいずれか一項に記載の医療用針において、
前記板状部材（６０）には、前記アクセスポートの上面端部に対応する位置近傍に少なくとも１つの溝部（６４ａ，６４ｂ）が設けられていることを特徴とする医療用針（１）。
【請求項５】
請求項４に記載の医療用針において、
前記溝部（６４，６４ｂ）は、前記板状部材（６０）における前記基部（２０）側の面（６０ｗ）に配置されていることを特徴とする医療用針（１）。
【請求項６】
請求項４に記載の医療用針において、
前記溝部（３６４ａ，３６４ｂ）は、前記板状部材（３６０）における前記基部（２０）とは反対側の面（３６０ｓ）に配置されていることを特徴とする医療用針（３）。
【請求項７】
請求項６に記載の医療用針において、
前記板状部材（５６０）における前記基部（２０）とは反対側の面（５６０ｓ）には、複数の突起（５６６）が形成されていることを特徴とする医療用針（５）。
【請求項８】
請求項４〜７のいずれか一項に記載の医療用針において、
前記板状部材（６０）における前記基部（２０）とは反対側の面（６０ｓ）上で互いに交差する２方向のうち、前記湾曲針における基端部（１２）側の部分から前記湾曲部（１４）に沿った方向と同一方向を第２方向とし、他方を第３方向としたとき、
前記伸縮部（３０）は、前記第３方向に沿って広がるように構成されたパンタグラフ状の伸縮部材であって、
前記板状部材（６０）は、前記第３方向に長辺方向を有する略長方形状であり、
前記溝部（６４ａ，６４ｂ）は、前記板状部材（６０）における短辺方向に沿って伸びる直線状の溝であることを特徴とする医療用針（１）。
【請求項９】
請求項１〜３のいずれか一項に記載の医療用針において、
前記板状部材（６６０）は、前記通過部（６６２）から前記板状部材（６６０）の端縁（６６０ｅ１，６６０ｅ２）に向かって波状に湾曲する湾曲部（６６４ａ，６６４ｂ）をさらに有することを特徴とする医療用針（６）。
【請求項１０】
請求項９に記載の医療用針において、
前記板状部材（６６０）は、前記通過部（６６２）を含む所定領域に形成された平面部（６６８）をさらに有することを特徴とする医療用針（６）。
【発明の詳細な説明】
【技術分野】
【０００１】
本発明は、医療用針に関する。
【背景技術】
【０００２】
患者の皮下に埋め込まれたアクセスポートに穿刺するための医療用針として、従来、所定角度（例えば９０度）に湾曲した湾曲部を有する湾曲針と、パンタグラフのように伸縮する伸縮部と、湾曲針を通過させる通過部を有する板状部材とを備える医療用針が知られている（例えば、特許文献１及び２参照。）。伸縮部の一端は、湾曲針の基端部側に設けられた基部と接続されており、伸縮部の他端は、板状部材と接続されている。
【０００３】
従来の医療用針によれば、上記した伸縮部を備えているため、患者の皮膚（アクセスポート）から湾曲針を抜いたときに、湾曲針（の先端部）を伸縮部によってカバーすることができる。このため、医療用針を使用する者（医療従事者及び患者本人を含む。以下、使用者という。）が誤って使用後の医療用針を自分に刺してしまう事故（いわゆる誤刺）の発生を防止することができる。
また、従来の医療用針によれば、上記した板状部材を備えているため、患者の皮膚から湾曲針を抜く際、板状部材の上面（患者の皮膚に接しない方の面）を上から押さえることにより、比較的スムーズに湾曲針を抜くことができる。
【先行技術文献】
【特許文献】
【０００４】
【特許文献１】特開２００２−３６９８８４号公報
【特許文献２】特開２００６−６１３７９号公報
【発明の概要】
【発明が解決しようとする課題】
【０００５】
しかしながら、従来の医療用針においては、患者の皮膚から湾曲針を抜くにあたって患者の皮膚に向けて板状部材を押さえたとき、板状部材を押さえる力が必要以上に強いと、アクセスポートの上面と板状部材との間で皮膚が挟まれることから、患者が痛がる可能性がある。反対に、板状部材を押さえる力を弱くしすぎてしまうと、伸縮部が伸びきらない状態で患者の皮膚から湾曲針が抜けてしまう場合があり得るため、誤刺の発生を防止するという観点から好ましくない。
【０００６】
そこで、本発明は、このような問題を解決するためになされたもので、伸縮部及び板状部材を備える医療用針において、板状部材を押さえたときに発生し得る痛みを軽減しつつ、誤刺の発生を防止することが可能な医療用針を提供することを目的とする。
【課題を解決するための手段】
【０００７】
本発明の発明者は、上記目的を達成するため、患者の皮膚から湾曲針を抜くにあたって患者の皮膚に向けて板状部材を押さえたときに、板状部材によって押圧されている皮膚のうち、一体どの部分が痛みをより強く感じる箇所であるのかを徹底的に調査した。その結果、アクセスポートの上面端部と板状部材との間で挟まれている部分（後述する図１１（ａ）の破線Ａで囲んだ部分。）が、痛みをより強く感じる箇所であるという知見を得た。アクセスポートの上面端部と板状部材との間で挟まれている部分が、他の部分と比較して痛みをより強く感じる理由としては、板状部材を押さえる力が、アクセスポートの上面端部に集中するからであると考えられる。
【０００８】
本発明の発明者は、以上の知見に基づいて、アクセスポートの上面端部と板状部材との間で挟まれている部分で感じる痛みを軽減するための手段を探るべく、さらなる研究を重ねた。その結果、板状部材として、少なくともアクセスポートの上面端部の位置で第１方向に沿って屈曲可能に構成された板状部材を用いれば、アクセスポートの上面端部と板状部材との間で挟まれている部分の皮膚が感じる痛みを軽減することができ、もって、板状部材を押さえたときに発生し得る痛みを軽減しつつ、誤刺の発生を防止することが可能となることに想到し、本発明を完成させるに至った。
【０００９】
［１］すなわち、本発明の医療用針（１）は、患者の皮下に埋め込まれたアクセスポートに穿刺するための医療用針であって、所定角度に湾曲した湾曲部（１４）を有する湾曲針（１０）と、前記湾曲針（１０）の一部が植設された基部（２０）と、前記基部（２０）に設けられ、前記湾曲部（１４）から前記湾曲針の先端部（１６）に沿った第１方向に伸縮可能に構成された伸縮部（３０）と、前記伸縮部（３０）における前記基部（２０）とは反対側に接続配置され、前記湾曲針（１０）を通過させる通過部（６２）を有する板状部材（６０）とを備え、前記伸縮部（３０）は、前記伸縮部（３０）を最も伸ばしたときの前記第１方向に沿った長さが、前記湾曲針の先端部（１６）から前記湾曲部（１４）までの長さ以上となるように構成されており、前記板状部材（６０）は、少なくとも前記アクセスポートの上面端部の位置近傍で前記第１方向に沿って屈曲可能に構成されていることを特徴とする。
【００１０】
このため、本発明の医療用針によれば、板状部材は、少なくともアクセスポートの上面端部の位置近傍で第１方向に沿って屈曲可能に構成されているため、板状部材を押さえたときに、アクセスポートの上面端部の位置近傍を境として、板状部材の端部を、患者の皮膚側の方向に向けて屈曲させることが可能となる。これにより、板状部材を押さえる力がアクセスポートの上面端部に集中してしまうのを抑制することができるため、アクセスポートの上面端部と板状部材との間で挟まれている部分の皮膚が感じる痛みを軽減することができる。
また、上記の構成からなる板状部材を用いることによって、板状部材を押さえる力を弱くしすぎることも無いため、患者の皮膚（アクセスポート）から湾曲針を抜いたときに、湾曲針（の先端部）を伸縮部によってカバーすることができ、使用者による誤刺の発生を効果的に防止することができる。
【００１１】
したがって、本発明の医療用針は、板状部材を押さえたときに発生し得る痛みを軽減しつつ、誤刺の発生を防止することが可能な医療用針となる。
【００１２】
［２］本発明の医療用針（１）は、患者の皮下に埋め込まれたアクセスポートに穿刺するための医療用針であって、所定角度に湾曲した湾曲部（１４）を有する湾曲針（１０）と、前記湾曲針（１０）の一部が植設された基部（２０）と、前記基部（２０）に設けられ、前記湾曲部（１４）から前記湾曲針の先端部（１６）に沿った第１方向に伸縮可能に構成された伸縮部（３０）と、前記伸縮部（３０）における前記基部（２０）とは反対側に接続配置され、前記湾曲針（１０）を通過させる通過部（６２）を有する板状部材（６０）とを備え、前記伸縮部（３０）は、前記伸縮部（３０）を最も伸ばしたときの前記第１方向に沿った長さが、前記湾曲針の先端部（１６）から前記湾曲部（１４）までの長さ以上となるように構成されており、前記板状部材（６０）を、前記通過部（６２）を含み前記アクセスポートの上面端部間に対応する中央領域（ＣＡ）と、前記アクセスポートの上面端部から前記板状部材（６０）の端縁までに対応する端部領域（ＥＡ）との２つの領域に分割したとき、前記板状部材（６０）は、少なくとも前記中央領域（ＣＡ）と前記端部領域（ＥＡ）との境界部分で、前記第１方向に沿って屈曲可能に構成されていることを特徴とする。
【００１３】
このため、本発明の医療用針によれば、板状部材は、少なくとも中央領域と端部領域との境界部分で、第１方向に沿って屈曲可能に構成されているため、板状部材を押さえたときに、板状部材の端部領域を、患者の皮膚側の方向に向けて屈曲させることが可能となる。これにより、板状部材を押さえる力がアクセスポートの上面端部に集中してしまうのを抑制することができるため、アクセスポートの上面端部と板状部材との間で挟まれている部分の皮膚が感じる痛みを軽減することができる。
また、上記の構成からなる板状部材を用いることによって、板状部材を押さえる力を弱くしすぎることも無いため、患者の皮膚（アクセスポート）から湾曲針を抜いたときに、湾曲針（の先端部）を伸縮部によってカバーすることができ、使用者による誤刺の発生を効果的に防止することができる。
【００１４】
したがって、本発明の医療用針は、板状部材を押さえたときに発生し得る痛みを軽減しつつ、誤刺の発生を防止することが可能な医療用針となる。
【００１５】
［３］上記［２］に記載の医療用針（１）においては、前記中央領域（ＣＡ）の最大長さが、１３ｍｍ〜２２ｍｍの範囲に設定されていることが好ましい。
【００１６】
市場に流通するアクセスポートの上面長さは、大体１３ｍｍ〜２２ｍｍ程度であるため、上記のように構成することにより、板状部材の端部（又は端部領域）を、患者の皮膚側の方向に向けて確実に屈曲させることが可能となる。
【００１７】
この明細書において「アクセスポートの上面長さ」とは、アクセスポートの上面における一方端縁から他方端縁までの距離のことを意味するものである。アクセスポートの上面形状が例えば円である場合には、アクセスポートの上面長さはアクセスポート上面の直径と等しく、アクセスポートの上面形状が例えば長方形又は正方形である場合には、アクセスポートの上面長さはアクセスポート上面の対辺間の距離と等しい。
なお、アクセスポートの上面が、上面中央に配置されたセプタムと当該セプタムの周囲を囲むように設けられたポート筐体部とで構成されている場合には、アクセスポートの上面長さは、当該ポート筐体部上面の一方端縁から他方端縁までの距離のことを意味する。アクセスポートの上面が、セプタムのみで構成されている場合には、アクセスポートの上面長さは、セプタム上面の一方端縁から他方端縁までの距離のことを意味する。
また、アクセスポートの上面端縁に丸め処理（ラウンド加工）が施されている場合には、アクセスポートの上面長さは、アクセスポートの最上面における一方端縁から他方端縁までの距離のことを意味するのではなく、アクセスポートの最上面より若干低い位置での（切断面における）一方端縁から他方端縁までの距離のことを意味する。
【００１８】
［４］上記［１］〜［３］のいずれか１つに記載の医療用針（１）においては、前記板状部材（６０）には、前記アクセスポートの上面端部に対応する位置近傍に少なくとも１つの溝部（６４ａ，６４ｂ）が設けられていることが好ましい。
【００１９】
このように構成することにより、患者の皮膚に向けて板状部材を押さえたときに、溝部の部分で板状部材を屈曲させることが可能となるため、本発明の医療用針を好適に実現することが可能となる。
【００２０】
［５］上記［４］に記載の医療用針（１）においては、前記溝部（６４，６４ｂ）は、前記板状部材（６０）における前記基部（２０）側の面（６０ｗ）に配置されていることが好ましい。
【００２１】
基部側の面（上面）に溝部が配置されていると、皮膚側の面（下面）に溝部が配置されている場合に比べて、板状部材を押さえたときに板状部材が屈曲しやすいため、上記のように構成することにより、板状部材を押さえる力がアクセスポートの上面端部に集中してしまうのをさらに抑制することができ、アクセスポートの上面端部と板状部材との間で挟まれている部分の皮膚が感じる痛みをさらに軽減することができる。
【００２２】
［６］上記［４］に記載の医療用針（３）においては、前記溝部（３６４ａ，３６４ｂ）は、前記板状部材（３６０）における前記基部（２０）とは反対側の面（３６０ｓ）に配置されていることが好ましい。
【００２３】
このように構成することにより、上述した板状部材を押さえたときの皮膚への痛みを軽減する効果及び使用者による誤刺発生を防止する効果に加えて、患者の皮膚に板状部材を配置したとき、溝部によって患者の皮膚と板状部材との間の通気性を確保することができる。このため、患者の皮膚と板状部材との間における蒸れの影響を低減することができ、このような蒸れの影響に起因した不快感の発生を抑制することが可能となる。また、患者の皮膚と板状部材との間における蒸れの影響を低減することができることから、患者の皮膚と板状部材との間における菌の繁殖を抑制することが可能となる。
【００２４】
［７］上記［６］に記載の医療用針（５）においては、前記板状部材（５６０）における前記基部（２０）とは反対側の面（５６０ｓ）には、複数の突起（５６６）が形成されていることが好ましい。
【００２５】
このように構成することにより、溝部だけではなく複数の突起によっても患者の皮膚と板状部材との間の通気性を確保することができるため、患者の皮膚と板状部材との間における蒸れの影響をさらに低減することができ、結果として、蒸れの影響に起因した不快感の発生をさらに抑制することが可能となるとともに、患者の皮膚と板状部材との間における菌の繁殖をさらに抑制することが可能となる。
また、患者の皮膚に医療用針を穿刺するにあたって医療用針を配置する際、複数の突起が滑り止めの役目も果たすことから、医療用針を配置しやすく、皮膚に穿刺しやすいという効果もある。
【００２６】
［８］上記［４］〜［７］のいずれか１つに記載の医療用針（１）においては、前記板状部材（６０）における前記基部（２０）とは反対側の面（６０ｓ）上で互いに交差する２方向のうち、前記湾曲針における基端部（１２）側の部分から前記湾曲部（１４）に沿った方向と同一方向を第２方向とし、他方を第３方向としたとき、前記伸縮部（３０）は、前記第３方向に沿って広がるように構成されたパンタグラフ状の伸縮部材であって、前記板状部材（６０）は、前記第３方向に長辺方向を有する略長方形状であり、前記溝部（６４ａ，６４ｂ）は、前記板状部材（６０）における短辺方向に沿って伸びる直線状の溝であることが好ましい。
【００２７】
板状部材における短辺方向に沿って伸びる直線状の溝であることから、板状部材を押さえたときに板状部材を比較的屈曲させやすいという効果がある。
また、伸縮部を折り畳んだときに伸縮部の広がる方向と板状部材の長辺方向とを同じ方向に揃えることによって、両者が互いに異なる方向とした場合に比べて、コンパクトな医療用針を実現することができる。
さらにまた、板状部材が略長方形状であることにより、テープ等を用いて患者の皮膚に医療用針を固定する際に、固定しやすい（テープ止めがしやすい）という効果もある。
【００２８】
なお、この明細書において「略長方形状」とは、長方形状だけではなく、長方形の四隅の角のうち少なくとも１つが丸くなっている形状や、四辺のうち少なくとも一辺の一部が内側に凹んだ形状なども含む。
【００２９】
［９］上記［１］〜［３］のいずれか１つに記載の医療用針（６）においては、前記板状部材（６６０）は、前記通過部（６６２）から前記板状部材（６６０）の端縁（６６０ｅ１，６６０ｅ２）に向かって波状に湾曲する湾曲部（６６４ａ，６６４ｂ）をさらに有することが好ましい。
【００３０】
このように構成することにより、患者の皮膚に向けて板状部材を押さえたときに、湾曲部の部分で板状部材を屈曲させることが可能となるため、本発明の医療用針を好適に実現することが可能となる。
【００３１】
［１０］上記［９］に記載の医療用針（６）においては、前記板状部材（６６０）は、前記通過部（６６２）を含む所定領域に形成された平面部（６６８）をさらに有することが好ましい。
【００３２】
このように構成することにより、患者の皮膚に医療用針を穿刺するにあたって医療用針を配置する際、医療用針を安定して配置することができ、皮膚に穿刺しやすいという効果がある。
【００３３】
なお、特許請求の範囲及び本欄（課題を解決するための手段の欄）に記載した各部材等の文言下に括弧をもって付加された符号は、特許請求の範囲及び本欄に記載された内容の理解を容易にするために用いられたものであって、特許請求の範囲及び本欄に記載された内容を限定するものではない。
【図面の簡単な説明】
【００３４】
【図１】医療用針１の斜視図。
【図２】図１とは異なる方向から見たときの医療用針１の斜視図。
【図３】医療用針１の正面図。
【図４】医療用針１の側面図。
【図５】第１及び第２伸縮部材３２，３６が伸縮する様子を説明するために示す図。
【図６】溝部６４ａの部分拡大断面図。
【図７】板状部材６０を説明するために示す図。
【図８】針カバー部材８０を説明するために示す図。
【図９】針カバー部材８０を説明するために示す図。
【図１０】医療用針１を説明するために示す図。
【図１１】比較例に係る医療用針９００及び実施形態１に係る医療用針１を説明するために示す図。
【図１２】医療用針２の斜視図。
【図１３】医療用針２の正面図。
【図１４】板状部材２６０の上面図。
【図１５】医療用針３の斜視図。
【図１６】図１５とは異なる方向から見たときの医療用針３の斜視図。
【図１７】医療用針３を説明するために示す図。
【図１８】医療用針４の斜視図。
【図１９】図１８とは異なる方向から見たときの医療用針４の斜視図。
【図２０】医療用針５の斜視図。
【図２１】医療用針５の正面図。
【図２２】板状部材５６０の底面図。
【図２３】医療用針５を説明するために示す図。
【図２４】医療用針６の斜視図。
【図２５】医療用針６の正面図。
【図２６】変形例１〜３の溝部１６４ａ〜１６４ｃを示す図。
【発明を実施するための形態】
【００３５】
以下、本発明の医療用針について、図に示す実施の形態に基づいて説明する。
【００３６】
［実施形態１］
まず、実施形態１に係る医療用針１の構成について、図１〜図９を用いて詳細に説明する。
【００３７】
図１は、医療用針１の斜視図である。図２は、図１とは異なる方向から見たときの医療用針１の斜視図である。図３は、医療用針１の正面図である。図４は、医療用針１の側面図である。なお、図１〜図４においては、針カバー部材８０の図示を省略している。
【００３８】
図５は、第１及び第２伸縮部材３２，３６が伸縮する様子を説明するために示す図である。図５（ａ）は第１及び第２伸縮部材３２，３６を最も折り畳んだ状態のときの医療用針１の正面図であり、図５（ｅ）は第１及び第２伸縮部材３２，３６を最も伸長させた状態のときの医療用針１の正面図であり、図５（ｂ）〜図５（ｄ）は図５（ａ）に示す状態から図５（ｅ）に示す状態になるまでの途中経過を示す医療用針１の正面図である。
【００３９】
図６は、溝部６４ａの部分拡大断面図である。図７は、板状部材６０を説明するために示す図である。図７（ａ）は板状部材６０の正面図であり、図７（ｂ）は板状部材６０の上面図である。なお、発明の理解を容易にするため、図７（ａ）においては、板状部材６０以外の部材を破線で図示し、図７（ｂ）においては、板状部材６０以外の部材を捨象して板状部材６０のみを図示している。
【００４０】
図８及び図９は、針カバー部材８０を説明するために示す図である。図８（ａ）は針カバー部材８０の正面図であり、図８（ｂ）は針カバー部材８０の側面図であり、図８（ｃ）は針カバー部材８０の上面図であり、図８（ｄ）は針カバー部材８０の底面図である。図９（ａ）は針カバー部材８０の斜視図であり、図９（ｂ）は針カバー部材８０を装着したときの医療用針１の斜視図である。
【００４１】
なお、以下の説明においては、互いに直交する３つの方向をそれぞれｘ軸方向、ｙ軸方向、ｚ軸方向とする。ｘ軸方向とは「第３方向」のことであり、ｙ軸方向とは「第２方向」のことであり、ｚ軸方向とは「第１方向」のことである。ｘ軸方向は、板状部材６０の長辺方向と同じ方向であり、ｙ軸方向は、板状部材６０の短辺方向と同じ方向（または、基部２０の長手方向と同じ方向）であり、ｚ軸方向は、湾曲針１０の湾曲部１４から先端部１６に沿った方向（または、板状部材６０における基部２０側の面に垂直な方向）である。
【００４２】
実施形態１に係る医療用針１は、患者の皮下に埋め込まれたアクセスポートに穿刺するための医療用針であって、図１〜図４に示すように、所定角度（例えば９０度）に湾曲した湾曲部１４を有する湾曲針１０と、湾曲針１０の一部が植設された基部２０と、基部２０に設けられ、パンタグラフ状に伸縮可能に構成された伸縮部３０と、伸縮部３０における基部２０とは反対側に接続配置された板状部材６０と、基部２０に設けられた翼部７０と、針カバー部材８０（図８及び図９参照。）とを備える。
【００４３】
湾曲針１０は、図４に示すように、基端部１２と、例えば９０度に湾曲した湾曲部１４と、患者の皮下に埋め込まれたアクセスポートＡＰ（後述する図１１（ｂ）参照。）に穿刺される先端部１６とを有する。基端部１２から湾曲部１４までは、ｙ軸方向に平行な直管状であり、湾曲部１４から先端部１６の手前までは、ｚ軸方向に平行な直管状である。先端部１６は、コアリング（アクセスポートにおけるセプタムの穴あきや削りカスの発生）防止のために若干屈曲した構成となっている。
【００４４】
基部２０は、湾曲針１０の基端部１２及び湾曲部１４を覆うように構成されている。また、基部２０は、管状のチューブ接続部２２を有し、チューブ接続部２２の部分で図示しないチューブに接続可能に構成されている。
【００４５】
伸縮部３０は、湾曲針１０を間にして対向配置された第１伸縮部材３２及び第２伸縮部材３６を有する。第１及び第２伸縮部材３２，３６のそれぞれは、端部が基部２０及び板状部材６０（板状部材６０における基部２０側の面６０ｗ）に接続されており、屈曲部３４，３８の部分で略「くの字」状に屈曲可能に構成されている（図３参照。）。また、第１及び第２伸縮部材３２，３６のそれぞれは、第１及び第２伸縮部材３２，３６の各端部と基部２０及び板状部材６０との接続部分においても、屈曲可能に構成されている。このように構成された第１及び第２伸縮部材３２，３６が湾曲針１０を間にして対向配置されているため、図５（ａ）〜図５（ｅ）に示すように、ｘ軸方向に沿って広がるように又は狭まるように、パンタグラフ状に伸縮することができる。
また、伸縮部３０は、第１及び第２伸縮部材３２，３６が広がる方向が、後述する板状部材６０の長辺方向と同じ方向となるように配置されている。
【００４６】
伸縮部３０は、図５（ｅ）から分かるように、伸縮部３０（第１及び第２伸縮部材３２，３６）を最も伸ばしたときのｚ軸方向に沿った長さが、湾曲針１０の先端部１６から湾曲部１４までの長さ以上となるように構成されている。
【００４７】
板状部材６０は、図１、図２及び図７（ｂ）に示すように、略長方形状の板状部材であり、長方形の四隅の角は丸め処理が施されている。板状部材６０は、略中央部に形成され、湾曲針１０を通過させる通過部６２と、板状部材６０における基部２０側の面６０ｗに配置された溝部６４ａ，６４ｂとを有する。通過部６２は、スリット状（切れ込み状）の通過部である。
【００４８】
溝部６４ａ，６４ｂは、板状部材６０の短辺方向（ｙ軸方向）に沿って伸びる直線状の溝であって、通過部６２から短辺側の一方端縁６０ｅ１までの間の所定位置に１つ、通過部６２から短辺側の他方端縁６０ｅ２までの間の所定位置に１つ、計２つ配置されている。また、溝部６４ａ，６４ｂは、板状部材６０における基部２０側の面６０ｗに配置されている。溝部６４ａは、図６に示すように、断面丸形状（半円形状）である。溝部６４ｂの断面形状も、溝部６４ａと同様である。
【００４９】
図７に示すように、板状部材６０を、通過部６２を含む中央領域ＣＡと、板状部材６０の端部側に位置する端部領域ＥＡとの２つの領域に分割したとき、溝部６４ａ，６４ｂは、中央領域ＣＡと端部領域ＥＡとの境界部分にそれぞれ配置されている。また、中央領域ＣＡは、通過部６２を含みアクセスポートＡＰの上面端部ａ１，ａ２間に対応しており、端部領域ＥＡは、アクセスポートＡＰの上面端部ａ１，ａ２から板状部材６０の各端縁６０ｅ１，６０ｅ２までに対応している（図７及び後述する図１１（ｂ）参照。）。
【００５０】
また、図７を参照して、板状部材６０のｘ軸方向に沿った長さ（全体長さ）をＬとし、短辺側の一方端縁６０ｅ１から溝部６４ａの中間位置までのｘ軸方向に沿った長さをＬ１とし、溝部６４ａの中間位置から溝部６４ｂの中間位置までのｘ軸方向に沿った長さをＬ２とし、溝部６４ｂの中間位置から短辺側の他方端縁６０ｅ２までのｘ軸方向に沿った長さをＬ３とし、溝部６４ａ，６４ｂのｘ軸方向に沿った幅をＧＷとしたとき、板状部材６０は、例えば、Ｌ＝４４ｍｍ、Ｌ１＝Ｌ３＝１１ｍｍ、Ｌ２＝２２ｍｍ、ＧＷ＝３．２ｍｍに設定されている。また、図面による説明は省略するが、中央領域ＣＡのｘ軸方向に沿った長さは、例えば１８．８ｍｍに設定されており、端部領域ＥＡのｘ軸方向に沿った長さは、例えば９．４ｍｍに設定されている。なお、ここに示した長さは、あくまでも一例であり、これらの数値は、アクセスポートの大きさに合わせて適宜変更してもよい。
【００５１】
翼部７０は、図１〜図３に示すように、基部２０の側方に接続配置された一対の翼部材であって、略矩形状の把持部７２，７４と、基部２０と各把持部７２，７４との間に配置され、把持部７２，７４の厚みよりも薄く形成された薄肉部７７，７８とを有する。把持部７２，７４は、基部２０と薄肉部７７，７８との接続部分を軸として所定角度回動可能に構成されている（後述する図１０（ａ１）〜図１０（ｃ１）及び図１０（ａ２）〜図１０（ｃ２）参照。）。薄肉部７７，７８の厚みが把持部７２，７４の厚みよりも薄いことから、翼部７０を把持する際に、基部２０と薄肉部７７，７８とが干渉してしまうのを抑制することができ、結果として、翼部７０を把持しやすくなる。また、薄肉部７７，７８の厚みが把持部７２，７４の厚みよりも薄いことから、把持部７２，７４を回動させやすいという効果もある。
【００５２】
基部２０、伸縮部３０、板状部材６０及び翼部７０は、同一のプラスチック材料（例えば、ポリエチレン、ポリプロピレンなど。）からなり、射出成形することによって形成されている。
【００５３】
針カバー部材８０は、図８及び図９に示すように、所定の厚みを残して中身がくり抜かれた、正面視略Ｔ字状の部材である。針カバー部材８０は、伸縮部３０を折り畳んだ状態で翼部７０、伸縮部３０及び板状部材６０を格納可能な第１格納部８２と、伸縮部３０を折り畳んだ状態で湾曲針１０（の先端部１６）を格納可能な第２格納部８４とを有する。第１格納部８２の上面には、基部２０の位置に対応して切り欠き８３が設けられている。伸縮部３０を折り畳んだ状態とすると、図９（ｂ）から分かるように、翼部７０、伸縮部３０及び板状部材６０が第１格納部８２に格納され、湾曲針１０（の先端部１６）が第２格納部８４に格納される。
【００５４】
実施形態１に係る医療用針１の使用方法について、図１０を用いて詳細に説明する。
図１０は、医療用針１を説明するために示す図である。図１０（ａ１）〜図１０（ｅ１）は医療用針１を使用したときの各状態を示す正面図であり、図１０（ａ２）〜図１０（ｅ２）は図１０（ａ１）〜図１０（ｅ１）に示す状態のときの斜視図である。
【００５５】
医療用針１を使用する際には、まず、針カバー部材８０が装着された状態の医療用針１（図９（ｂ）参照。）から、針カバー部材８０を取り外す。
次に、翼部７０の把持部７２，７４を把持し、把持部７２，７４が接触するまで翼部７０を回動させる（図１０（ａ１）〜図１０（ｃ１）及び図１０（ａ２）〜図１０（ｃ２）参照。）。
そして、把持部７２，７４を把持した状態で、患者の皮膚Ｓの下に埋め込まれたアクセスポートＡＰのセプタムＰ２（後述する図１１（ｂ）参照。）に湾曲針１０を穿刺する。穿刺後は、必要に応じて、把持部７２，７４を広げて把持部７２，７４の上からテープ止めを行う。
【００５６】
患者の皮膚Ｓ（アクセスポートＡＰ）から湾曲針１０を抜くときは、テープ止めを行った場合はテープを剥がして、板状部材６０を押さえながら把持部７２，７４を摘まみ上げ、患者の皮膚Ｓから湾曲針１０を引き抜く（図１０（ｄ１）及び図１０（ｅ１）並びに図１０（ｄ２）及び図１０（ｅ２）参照。）。
【００５７】
なお、患者の皮膚Ｓ（アクセスポートＡＰ）から湾曲針１０を抜く方法としては、上述の方法に限定されない。図示による説明は省略するが、各把持部７２，７４を第１及び第２伸縮部材３２，３６に沿わせる（板状部材６０側に垂らす）ようにして、第１及び第２伸縮部材３２，３６と把持部７２，７４とを一緒に摘まみ上げてもよい。
【００５８】
比較例に係る医療用針９００をもとにして、実施形態１に係る医療用針１をさらに詳細に説明する。
図１１は、比較例に係る医療用針９００及び実施形態１に係る医療用針１を説明するために示す図である。図１１（ａ）は比較例に係る医療用針９００の場合において板状部材９６０を押さえたときの様子を模式的に示す図であり、図１１（ｂ）は実施形態１に係る医療用針１の場合において板状部材６０を押さえたときの様子を模式的に示す図である。なお、図１１においては、発明の理解を容易にするため、アクセスポートＡＰの大きさや、患者の皮膚ＳからアクセスポートＡＰまでの深さ（距離）などはある程度誇張して図示している。
【００５９】
なお、比較例に係る医療用針９００及び実施形態１に係る医療用針１の説明で用いるアクセスポートＡＰは、図１１に示すように、アクセスポートＡＰの上面が、上面中央に配置されたセプタムＰ１と、セプタムＰ１の周囲を囲むように設けられたポート筐体部Ｐ２とで構成されているものである。また、この場合のアクセスポートＡＰの上面長さは、ポート筐体部Ｐ２上面の一方端縁（符号ａ１参照。）から他方端縁（符号ａ２参照。）までの距離のことを指す。
【００６０】
比較例に係る医療用針９００は、基本的には実施形態１に係る医療用針１と良く似た構成を有するが、図１１（ａ）に示すように、板状部材９６０に溝部が配置されていない点で実施形態１に係る医療用針１とは異なる。
【００６１】
このため、比較例に係る医療用針９００によれば、患者の皮膚Ｓから湾曲針１０を抜くにあたって患者の皮膚Ｓに向けて板状部材９６０を押さえたとき、板状部材９６０を押さえる力が、アクセスポートＡＰの上面端部ａ１，ａ２に集中するため、アクセスポートＡＰの上面端部ａ１，ａ２と板状部材９６０との間で挟まれている部分（図１１（ａ）の破線Ａで囲んだ部分。）において、患者が痛みを強く感じてしまう可能性がある。患者が感じる痛みを弱めるために板状部材９６０を押さえる力を弱めた場合、その力を弱くしすぎてしまうと、伸縮部３０（第１及び第２伸縮部材３２，３６）が伸びきらない状態で患者の皮膚Ｓから湾曲針１０が抜けてしまう場合があり得るため、誤刺の発生を防止するという観点から好ましくない。
【００６２】
これに対し、実施形態１に係る医療用針１によれば、板状部材６０は、アクセスポートＡＰの上面端部ａ１，ａ２の位置近傍で、ｚ軸方向に沿って屈曲可能に構成されているため、板状部材６０を押さえたときに、アクセスポートＡＰの上面端部ａ１，ａ２の位置近傍を境として、板状部材６０の端部を、患者の皮膚Ｓ側の方向に向けて屈曲させることが可能となる（図１１（ｂ）参照。）。これにより、板状部材６０を押さえる力がアクセスポートＡＰの上面端部ａ１，ａ２に集中してしまうのを抑制することができるため、アクセスポートＡＰの上面端部ａ１，ａ２と板状部材６０との間で挟まれている部分の皮膚が感じる痛みを軽減することができる。
また、上記の構成からなる板状部材６０を用いることによって、板状部材６０を押さえる力を弱くしすぎることも無いため、患者の皮膚Ｓ（アクセスポートＡＰ）から湾曲針１０を抜いたときに、湾曲針１０（の先端部１６）を伸縮部３０によってカバーすることができ、使用者による誤刺の発生を効果的に防止することができる。
【００６３】
したがって、実施形態１に係る医療用針１は、板状部材６０を押さえたときに発生し得る痛みを軽減しつつ、誤刺の発生を防止することが可能な医療用針となる。
【００６４】
また、実施形態１に係る医療用針１によれば、図７を用いて上述したように、板状部材６０を、通過部６２を含みアクセスポートＡＰの上面端部ａ１，ａ２間に対応する中央領域ＣＡと、アクセスポートＡＰの上面端部ａ１，ａ２から板状部材６０の短辺側の各端縁６０ｅ１，６０ｅ２までに対応する端部領域ＥＡとの２つの領域に分割したとき、板状部材６０が、中央領域ＣＡと端部領域ＥＡとの境界部分で、ｚ軸方向に沿って屈曲可能に構成されている。このため、板状部材６０を押さえたときに、板状部材６０の端部領域ＥＡを、患者の皮膚Ｓ側に向けて屈曲させることが可能となる。その結果、板状部材６０を押さえたときに発生し得る痛みを軽減しつつ、誤刺の発生を防止することが可能となる。
【００６５】
なお、板状部材６０は、上述したように、アクセスポートＡＰの上面端部ａ１，ａ２の位置近傍で（中央領域ＣＡと端部領域ＥＡとの境界部分で）ｚ軸方向に沿って屈曲可能に構成されていることから、板状部材６０の端部（端部領域ＥＡ）を、患者の皮膚Ｓ側に向けて屈曲させることが可能であるだけではなく、患者の皮膚Ｓとは反対側（基部２０側）に向けて屈曲させることも可能である。
【００６６】
実施形態１に係る医療用針１においては、伸縮部３０を最も伸ばしたときのｚ軸方向に沿った長さが、湾曲針１０の先端部１６から湾曲部１４までの長さ以上となるように構成されているため、患者の皮膚Ｓ（アクセスポートＡＰ）から湾曲針１０を抜いたときに、湾曲針１０（の先端部１６）を伸縮部３０によってカバーすることができる。このため、使用者による誤刺の発生を防止することができる。
【００６７】
実施形態１に係る医療用針１においては、中央領域ＣＡの最大長さ（ｘ軸方向に沿った長さ）が、１３ｍｍ〜２２ｍｍの範囲に設定されている。市場に流通するアクセスポートの上面長さ（上面端部間の長さ）は、大体１３ｍｍ〜２２ｍｍ程度であることから、板状部材６０の端部（端部領域ＥＡ）を、患者の皮膚Ｓ側に向けて確実に屈曲させることが可能となる。
【００６８】
実施形態１に係る医療用針１においては、板状部材６０には、アクセスポートＡＰの上面端部ａ１，ａ２に対応する位置近傍に溝部６４ａ，６４ｂが設けられている。これにより、患者の皮膚Ｓに向けて板状部材６０を押さえたときに、溝部６４ａ，６４ｂの部分で板状部材６０を屈曲させることが可能となるため、本発明の医療用針を好適に実現することが可能となる。
【００６９】
実施形態１に係る医療用針１においては、溝部６４，６４ｂは、板状部材６０における基部２０側の面６０ｗに配置されている。基部２０側の面６０ｗに溝部が配置されていると、皮膚側の面６０ｓに溝部が配置されている場合（例えば、後述する実施形態３〜５の場合。）に比べて、板状部材６０を押さえたときに板状部材６０が屈曲しやすいため、板状部材６０を押さえる力がアクセスポートＡＰの上面端部ａ１，ａ２に集中してしまうのをさらに抑制することができ、アクセスポートＡＰの上面端部ａ１，ａ２と板状部材６０との間で挟まれている部分の皮膚が感じる痛みをさらに軽減することができる。
【００７０】
実施形態１に係る医療用針１においては、溝部６４ａ，６４ｂは、板状部材６０における短辺方向に沿って伸びる直線状の溝であることから、板状部材６０を押さえたときに板状部材６０を比較的屈曲させやすいという効果がある。
また、伸縮部３０を折り畳んだときに第１及び第２伸縮部材３２，３６の広がる方向と、板状部材６０の長辺方向とが同じ方向となるように揃えられているため、両者が互いに異なる方向となっている場合に比べて、コンパクトな医療用針を実現することができる。
また、板状部材６０が略長方形状であることにより、テープ等を用いて患者の皮膚に医療用針１を固定する際に、固定しやすい（テープ止めがしやすい）という効果もある。
【００７１】
［実施形態２］
図１２は、実施形態２に係る医療用針２の斜視図である。図１３は、医療用針２の正面図である。なお、図１２及び図１３においては、針カバー部材８０の図示を省略している。また、図１２及び図１３において、図１及び図３と同一の部材については同一の符号を付し、詳細な説明は省略する。
図１４は、板状部材２６０の上面図である。なお、発明の理解を容易にするため、図１４においては、板状部材２６０以外の部材を捨象して板状部材２６０のみを図示している。
【００７２】
実施形態２に係る医療用針２は、基本的には実施形態１に係る医療用針１と良く似た構成を有するが、溝部の数が実施形態１に係る医療用針１とは異なる。
【００７３】
すなわち、実施形態２に係る医療用針２においては、図１２〜図１４に示すように、板状部材２６０は、４つの溝部２６４ａ〜２６４ｄを有する。溝部２６４ａ〜２６４ｄは、板状部材２６０の短辺方向（ｙ軸方向）に沿って伸びる直線状の溝であって、通過部２６２から短辺側の一方端縁２６０ｅ１までの間の所定位置に２つ、通過部２６２から短辺側の他方端縁２６０ｅ２までの間の所定位置に２つ、それぞれ配置されている。なお、溝部２６４ａ〜２６４ｄの断面形状は、実施形態１で説明した溝部６４ａ，６４ｂと同様である。
【００７４】
また、図示による説明は省略するが、溝部２６４ａ〜２６４ｄは、アクセスポートの上面端部に対応する位置近傍に設けられている。
【００７５】
このように、実施形態２に係る医療用針２は、実施形態１に係る医療用針１とは溝部の数が異なるが、アクセスポートの上面端部の位置近傍でｚ軸方向に沿って屈曲可能に構成された板状部材２６０を備えているため、実施形態１に係る医療用針１の場合と同様に、板状部材２６０を押さえたときに、アクセスポートの上面端部の位置近傍を境として、板状部材２６０の端部（端部領域）を、患者の皮膚側に向けて屈曲させることが可能となる。その結果、板状部材２６０を押さえたときに発生し得る痛みを軽減しつつ、誤刺の発生を防止することが可能となる。
【００７６】
実施形態２に係る医療用針２は、溝部の数が異なる点以外では、実施形態１に係る医療用針１と同様の構成を有するため、実施形態１に係る医療用針１が有する効果のうち該当する効果をそのまま有する。
【００７７】
［実施形態３及び４］
図１５は、実施形態３に係る医療用針３の斜視図である。図１６は、図１５とは異なる方向から見たときの医療用針３の斜視図である。図１７は、医療用針３を説明するために示す図である。図１７（ａ）は医療用針３を患者の皮膚Ｓに穿刺したときの様子を模式的に示す図であり、図１７（ｂ）は図１７（ａ）の符号Ａで示す部分の拡大図である。図１８は、実施形態４に係る医療用針４の斜視図である。図１９は、図１８とは異なる方向から見たときの医療用針４の斜視図である。なお、図１５〜図１９においては、針カバー部材８０の図示を省略している。また、図１５〜図１９において、図１及び図２と同一の部材については同一の符号を付し、詳細な説明は省略する。
【００７８】
実施形態３及び４に係る医療用針３，４は、基本的には実施形態１又は２に係る医療用針１，２と良く似た構成を有するが、溝部の配置されている面が実施形態１又は２に係る医療用針１，２とは異なる。
【００７９】
すなわち、実施形態３及び４に係る医療用針３，４においては、図１５〜図１９に示すように、溝部３６４ａ，３６４ｂ，４６４ａ〜４６４ｄは、板状部材３６０，４６０における基部２０とは反対側の面（患者の皮膚側の面）３６０ｓ，４６０ｓに配置されている。
【００８０】
実施形態３に係る医療用針３においては、図１６に示すように、板状部材３６０は、２つの溝部３６４ａ，３６４ｂを有する。溝部３６４ａ，３６４ｂは、通過部３６２から短辺側の一方端縁３６０ｅ１までの間の所定位置に１つ、通過部３６２から短辺側の他方端縁３６０ｅ２までの間の所定位置に１つ、それぞれ配置されている。また、図示による説明は省略するが、溝部３６４ａ，３６４ｂは、アクセスポートの上面端部に対応する位置近傍に設けられている。
【００８１】
実施形態４に係る医療用針４においては、図１９に示すように、板状部材４６０は、４つの溝部４６４ａ〜４６４ｄを有する。溝部４６４ａ〜４６４ｄは、通過部４６２から短辺側の一方端縁４６０ｅ１までの間の所定位置に２つ、通過部４６２から短辺側の他方端縁４６０ｅ２までの間の所定位置に２つ、それぞれ配置されている。また、図示による説明は省略するが、溝部４６４ａ〜４６４ｄは、アクセスポートの上面端部に対応する位置近傍に設けられている。
【００８２】
このように、実施形態３及び４に係る医療用針３，４は、実施形態１又は２に係る医療用針１，２とは溝部の配置されている面が異なるが、アクセスポートの上面端部の位置近傍でｚ軸方向に沿って屈曲可能に構成された板状部材３６０，４６０を備えているため、実施形態１に係る医療用針１，２の場合と同様に、板状部材３６０，４６０を押さえたときに、アクセスポートの上面端部の位置近傍を境として、板状部材３６０，４６０の端部（端部領域）を、患者の皮膚側に向けて屈曲させることが可能となる。その結果、板状部材３６０，４６０を押さえたときに発生し得る痛みを軽減しつつ、誤刺の発生を防止することが可能となる。
【００８３】
また、実施形態３及び４に係る医療用針３，４においては、溝部３６４ａ，３６４ｂ，４６４ａ〜４６４ｄは、板状部材３６０，４６０における基部２０とは反対側の面（患者の皮膚側の面）３６０ｓ，４６０ｓに配置されているため、患者の皮膚Ｓ上に板状部材３６０，４６０を配置したときに、患者の皮膚Ｓと板状部材３６０，４６０との間に空隙ｇが生じることとなる（図１７（ｂ）参照。）。この空隙ｇによって患者の皮膚Ｓと板状部材３６０，４６０との間の通気性を確保することができる。このため、患者の皮膚Ｓと板状部材３６０，４６０との間における蒸れの影響を低減することができ、このような蒸れの影響に起因した不快感の発生を抑制することが可能となる。また、患者の皮膚Ｓと板状部材３６０，４６０との間における蒸れの影響を低減することができることから、患者の皮膚Ｓと板状部材３６０，４６０との間における菌の繁殖を抑制することが可能となる。
【００８４】
実施形態３及び４に係る医療用針３，４は、溝部の配置されている面が異なる点以外では、実施形態１又は２に係る医療用針１，２と同様の構成を有するため、実施形態１又は２に係る医療用針１，２が有する効果のうち該当する効果をそのまま有する。
【００８５】
［実施形態５］
図２０は、実施形態５に係る医療用針５の斜視図である。図２１は、医療用針５の正面図である。図２２は、板状部材５６０の底面図である。図２３は、医療用針５を説明するために示す図である。図２３（ａ）は医療用針５を患者の皮膚Ｓに穿刺したときの様子を模式的に示す図であり、図２３（ｂ）は図２３（ａ）の符号Ａで示す部分の拡大図である。なお、図２０及び図２１においては、針カバー部材８０の図示を省略している。また、図２０及び図２１（並びに図２３）において、図２及び図３と同一の部材については同一の符号を付し、詳細な説明は省略する。
【００８６】
実施形態５に係る医療用針５は、基本的には実施形態４に係る医療用針４と良く似た構成を有するが、板状部材の構成が実施形態４に係る医療用針４とは異なる。
【００８７】
すなわち、実施形態５に係る医療用針５においては、図２０〜図２３に示すように、板状部材５６０における基部２０とは反対側の面５６０ｓに、溝部５６４ａ〜５６４ｄが配置されていることに加えて、複数の突起５６６が形成されている。
【００８８】
複数の突起５６６のそれぞれは、図２０及び図２２に示すように、板状部材５６０の短辺方向（ｙ軸方向）に沿って伸びる直線状の突起であって、板状部材５６０の長辺方向（ｘ軸方向）に沿って複数（例えば１０個）配列されている。なお、複数の突起５６６の数は、適宜変更可能である。
【００８９】
複数の突起５６６の突出高さｈ（図２１参照。）は、例えば０．７ｍｍに設定されている。突起５６６の長さＲＬ及び幅ＲＷは、所定の値に設定されている。なお、突起５６６の長さＲＬ及び幅ＲＷ並びに突出高さｈは、例えば板状部材の厚みによって適宜変更可能である。
【００９０】
通過部５６２から板状部材５６０の短辺側の各端縁５６０ｅ１，５６０ｅ２までに配置される複数の突起５６６のそれぞれは、図２２に示すように、隣り合う突起５６６との配置間隔ＲＴが略同一となるように設定されている。また、隣り合う突起５６６との配置間隔ＲＴは、突起５６６の幅ＲＷよりも大きくなるように設定されている。
【００９１】
また、実施形態５に係る医療用針５においては、溝部５６４ａ〜５６４ｄの断面形状は、図２１などから分かるように、丸形状ではなく、略Ｖ字状である（但し、頂点部分が丸みを帯びている。）。なお、溝部５６４ａ〜５６４ｄは、図示による説明は省略するが、アクセスポートの上面端部に対応する位置近傍に設けられている。
【００９２】
このように、実施形態５に係る医療用針５は、実施形態４に係る医療用針４とは板状部材の構成（複数の突起が形成されている点）が異なるが、アクセスポートの上面端部の位置近傍でｚ軸方向に沿って屈曲可能に構成された板状部材５６０を備えているため、実施形態１に係る医療用針１の場合と同様に、板状部材５６０を押さえたときに、アクセスポートの上面端部の位置近傍を境として、板状部材５６０の端部（端部領域）を、患者の皮膚側に向けて屈曲させることが可能となる。その結果、板状部材５６０を押さえたときに発生し得る痛みを軽減しつつ、誤刺の発生を防止することが可能となる。
【００９３】
また、実施形態５に係る医療用針５においては、板状部材５６０における基部２０とは反対側の面５６０ｓには、複数の突起５６６が形成されているため、患者の皮膚Ｓ上に板状部材５６０を配置したときに、患者の皮膚Ｓと板状部材５６０との間に空隙ｇが生じることとなる（図２３（ｂ）参照。）。この空隙ｇによって、患者の皮膚Ｓと板状部材５６０との間の通気性を確保することができる。つまり、溝部５６４ａ〜５６４ｄだけではなく複数の突起５６６によっても患者の皮膚Ｓと板状部材５６０との間の通気性を確保することができるため、患者の皮膚Ｓと板状部材５６０との間における蒸れの影響をさらに低減することができ、結果として、蒸れの影響に起因した不快感の発生をさらに抑制することが可能となるとともに、患者の皮膚Ｓと板状部材５６０との間における菌の繁殖をさらに抑制することが可能となる。
また、患者の皮膚Ｓに医療用針５を穿刺するにあたって医療用針５を配置する際、複数の突起５６６が滑り止めの役目も果たすことから、医療用針５を配置しやすく、皮膚に穿刺しやすいという効果もある。
【００９４】
実施形態５に係る医療用針５は、板状部材の構成が異なる点（複数の突起が形成されている点）以外では、実施形態４に係る医療用針４と同様の構成を有するため、実施形態１又は４に係る医療用針１，４が有する効果のうち該当する効果をそのまま有する。
【００９５】
［実施形態６］
図２４は、実施形態６に係る医療用針６の斜視図である。図２５は、医療用針６の正面図である。なお、図２４及び図２５においては、針カバー部材８０の図示を省略している。また、図２４及び図２５において、図１及び図３と同一の部材については同一の符号を付し、詳細な説明は省略する。
【００９６】
実施形態６に係る医療用針６は、基本的には実施形態１に係る医療用針１と良く似た構成を有するが、板状部材の構成が実施形態１に係る医療用針１とは異なる。
【００９７】
すなわち、実施形態６に係る医療用針６においては、図２４及び図２５に示すように、板状部材として、一部が波状に湾曲した板状部材６６０を備える。
【００９８】
板状部材６６０は、通過部６６２と、通過部６６２から板状部材６６０の短辺側の各端縁６６０ｅ１，６６０ｅ２に向かって波状に湾曲する湾曲部６６４ａ，６６４ｂと、通過部６６２を含む所定領域に形成された平面部６６８とを有する。
【００９９】
湾曲部６６４ａ，６６４ｂ及び平面部６６８のｘ軸方向に沿った長さは適宜設定可能であるが、実施形態６に係る医療用針６においては、板状部材６６０全体に対する湾曲部６６４ａ，６６４ｂの位置が、アクセスポートの上面端部の位置と対応するように、湾曲部６６４ａ，６６４ｂ及び平面部６６８のｘ軸方向に沿った長さがそれぞれ設定されている。
【０１００】
板状部材６６０は、このような湾曲部６６４ａ，６６４ｂを有するため、患者の皮膚に向けて板状部材６６０を押さえたときに、湾曲部６６４ａ，６６４ｂの部分で板状部材６６０を屈曲させることが可能となる。つまり、板状部材６６０の一部が波状に湾曲していることによって、実施形態１で説明した板状部材６０の場合と同様に、アクセスポートの上面端部の位置近傍でｚ軸方向に沿って屈曲させることが可能となる。
【０１０１】
なお、実施形態６に係る医療用針６においては、例えば、湾曲している部分の山の数や当該山の間隔などを適宜設定することにより、各湾曲部６６４ａ，６６４ｂの湾曲度合を調整可能である。
【０１０２】
このように、実施形態６に係る医療用針６は、実施形態１に係る医療用針１とは板状部材の構成が異なるが、アクセスポートの上面端部の位置近傍でｚ軸方向に沿って屈曲可能に構成された板状部材６６０を備えているため、実施形態１に係る医療用針１の場合と同様に、板状部材６６０を押さえたときに、アクセスポートの上面端部の位置近傍を境として、板状部材６６０の端部（端部領域）を、患者の皮膚側に向けて屈曲させることが可能となる。その結果、板状部材６６０を押さえたときに発生し得る痛みを軽減しつつ、誤刺の発生を防止することが可能となる。
【０１０３】
実施形態６に係る医療用針６においては、板状部材６６０は、通過部６６２を含む所定領域に形成された平面部６６８をさらに有するため、患者の皮膚に医療用針６を穿刺するにあたって医療用針６を配置する際、医療用針６を安定して配置することができ、皮膚に穿刺しやすいという効果がある。
【０１０４】
実施形態６に係る医療用針６は、板状部材の構成が異なる点以外では、実施形態１に係る医療用針１と同様の構成を有するため、実施形態１に係る医療用針１が有する効果のうち該当する効果をそのまま有する。
【０１０５】
以上、本発明の医療用針を上記の各実施形態に基づいて説明したが、本発明は上記の各実施形態に限定されるものではなく、その要旨を逸脱しない範囲において種々の態様において実施することが可能であり、例えば次のような変形も可能である。
【０１０６】
（１）上記実施形態１〜４においては、溝部の断面形状が丸（半円）形状である場合を例示して説明したが、本発明はこれに限定されるものではない。
図２６は、変形例１〜３の溝部１６４ａ〜１６４ｃを示す図である。図２６（ａ）は変形例１の溝部１６４ａの部分拡大断面図であり、図２６（ｂ）は変形例２の溝部１６４ｂの部分拡大断面図であり、図２６（ｃ）は変形例３の溝部１６４ｃの部分拡大断面図である。
溝部としては、例えば、図２６（ａ）に示すように、断面Ｖ字状であってもよいし、図２６（ｂ）に示すように、断面Ｕ字状であってもよいし、図２６（ｃ）に示すように、断面台形状であってもよいし、図示による説明は省略するが、断面四角状であってもよい。
【０１０７】
（２）上記実施形態１〜５においては、板状部材における基部側の面又は患者の皮膚側の面のいずれか一面に溝部が配置されている場合を例示して説明したが、本発明はこれに限定されるものではなく、板状部材の基部側の面及び患者の皮膚側の面の両面に溝部が配置されていてもよい。
【０１０８】
（３）上記実施形態１〜５においては、板状部材の通過部から短辺側の一方端縁までの間に配置された溝部も、通過部から短辺側の他方端縁までの間に配置された溝部も、ともに板状部材における基部側の面又は患者の皮膚側の面のいずれか一面に配置されているが、本発明はこれに限定されるものではない。例えば、通過部から短辺側の一方端縁までの間に配置される溝部は、板状部材における基部側の面に配置され、通過部から短辺側の他方端縁までの間に配置される溝部は、板状部材における患者の皮膚側の面に配置されていてもよい。
【０１０９】
（４）上記実施形態１〜５においては、溝部の数として、板状部材の通過部から短辺側の各端縁までの間にそれぞれ１つずつ又は２つずつ配置されている場合を例示して説明したが、本発明はこれに限定されるものではない。板状部材の通過部から短辺側の各端縁までの間に、溝部が３つずつ又はそれ以上配置されていてもよい。
【０１１０】
（５）上記実施形態５においては、隣り合う突起５６６との配置間隔ＲＴが略同一となるように設定されている場合を例示して説明したが、本発明はこれに限定されるものではない。例えば、板状部材の端縁から略中央部（通過部５６２近傍）に向かうに従って隣り合う突起５６６との配置間隔が狭くなるように設定された板状部材であってもよいし、反対に当該配置間隔が広くなるように設定された板状部材であってもよい。
また、上記実施形態５においては、隣り合う突起５６６との配置間隔ＲＴが突起５６６の幅ＲＷよりも大きく設定されている場合を例示して説明したが、本発明はこれに限定されるものではない。上記配置間隔ＲＴと突起の幅ＲＷとを同じ値に設定してもよいし、上記配置間隔ＲＴを突起の幅ＲＷよりも小さく設定してもよい。
【０１１１】
（６）上記実施形態５においては、板状部材５６０における皮膚側の面５６０ｓに溝部５６４ａ〜５６４ｄと複数の突起５６６とが配置されている場合を例示して説明したが、本発明はこれに限定されるものではなく、板状部材５６０における基部側の面５６０ｗに溝部が配置され、板状部材５６０における皮膚側の面５６０ｓに複数の突起が形成されていてもよい。
【０１１２】
（７）上記実施形態６においては、通過部６６２を含む所定領域に平面部６６８が形成された板状部材６６０を例示して説明したが、本発明はこれに限定されるものではない。例えば、平面部が形成されていない板状部材、つまり、板状部材全体が波状に湾曲したものも本発明に含まれる。
【０１１３】
（８）上記各実施形態においては、板状部材の平面形状が略長方形状である場合を例示して説明したが、本発明はこれに限定されるものではない。例えば、楕円形状や丸形状の板状部材であってもよいし、三角形状や正方形状の板状部材であってもよいし、５角形以上の多角形状の板状部材であってもよい。なお、上記各実施形態においては、板状部材の大きさ（平面で見た大きさ）とアクセスポートの大きさとの関係や、板状部材が略長方形状であることなどを踏まえて、板状部材が２ヶ所で屈曲可能に構成されているが、例えば板状部材が略長方形状以外の平面形状である場合には、板状部材は３ヶ所以上で屈曲可能に構成されていてもよい。
【０１１４】
（９）上記各実施形態においては、板状部材に形成される通過部が、スリット状（切れ込み状）のものである場合を例示して説明したが、本発明はこれに限定されるものではない。通過部としては、例えば、湾曲針１０が通過する位置（板状部材の略中央部）に形成された穴（丸穴や角穴）であってもよい。
【０１１５】
（１０）上記各実施形態においては、基部、伸縮部、板状部材及び翼部が一体成形されている場合を例示して説明したが、本発明はこれに限定されるものではない。例えば、これら各部材を個別に作成した後、各部材を接合してもよい。
【０１１６】
（１１）上記各実施形態においては、基部、伸縮部、板状部材及び翼部が同一のプラスチック材料（例えば、ポリエチレン、ポリプロピレンなど。）からなる場合を例示して説明したが、本発明はこれに限定されるものではない。例えば、部材ごとで異なるプラスチック材料を用いてもよいし、プラスチック材料以外の材料でこれら部材を形成してもよい。
【０１１７】
（１２）上記各実施形態においては、湾曲針１０の湾曲部１４が９０度湾曲している場合を例示して説明したが、本発明はこれに限定されるものではない。９０度未満又は９０度を超える角度で湾曲した湾曲針を備える医療用針についても本発明を適用可能である。
【０１１８】
（１３）上記各実施形態においては、翼部７０が、基部２０の側方に接続配置された一対の翼部材である場合を例示して説明したが、本発明はこれに限定されるものではなく、例えば、基部２０の上方に１つの翼部材がｚ軸方向に沿って伸びるように配置されていてもよい。また、上記各実施形態においては、略矩形状の把持部７２，７４を有する翼部７０を例示して説明したが、本発明はこれに限定されるものではなく、略矩形状とは異なる形状（例えば丸形状など）の把持部を有する翼部であってもよい。
【０１１９】
（１４）上記各実施形態においては、伸縮部３０を折り畳んだときに第１及び第２伸縮部材３２，３６の広がる方向と板状部材の長辺方向とが同じｘ軸方向で揃えられ、翼部７０の把持部７２，７４がｘ軸方向に伸びる場合を例示して説明したが、本発明はこれに限定されるものではない。例えば、第１及び第２伸縮部材の広がる方向と板状部材の長辺方向とが同じｘ軸方向で揃えられ、翼部の把持部がｙ軸方向に伸びるように構成されていてもよい。または、第１及び第２伸縮部材の広がる方向と板状部材の長辺方向とが同じｙ軸方向で揃えられ、翼部の把持部がｙ軸方向に伸びるように構成されていてもよい。
なお、後者の場合、すなわち、第１及び第２伸縮部材の広がる方向と、板状部材の長辺方向と、翼部の把持部が伸びる方向とが、基部２０の長手方向であるｙ軸方向と同じ向きに揃えられているときには、医療用針全体のｘ軸方向の幅を比較的小さくすることができるため、例えば、医療用針を２つ以上並べて配置したいときに、各医療用針と繋がる各チューブの導出方向を一方向に揃えた状態で医療用針を配置することが可能となる。
【０１２０】
（１５）上記各実施形態においては、基部として、チューブ接続部２２を有する基部２０を例示して説明したが、本発明はこれに限定されるものではなく、例えば、チューブ接続部が省略された基部（チューブ接続部を有しない基部）を備えていてもよい。この場合は、例えば、湾曲針１０の基端部１２を基部から露出させ、基端部１２とチューブとを直接接続すればよい。
【０１２１】
（１６）上記各実施形態においては、伸縮部として、２つの伸縮部材（第１及び第２伸縮部材３２，３６）によってパンタグラフ状に伸縮可能に構成された伸縮部３０を例示して説明したが、本発明はこれに限定されるものではない。伸縮部としては、１つの伸縮部材で構成された伸縮部であってもよい。
【符号の説明】
【０１２２】
１，２，３，４，５，６，９００  医療用針
１０  湾曲針
１２  湾曲針の基端部
１４  湾曲部
１６  湾曲針の先端部
２０  基部
２２  チューブ接続部
３０  伸縮部
３２  第１伸縮部材
３４，３８  屈曲部
３６  第２伸縮部材
６０，２６０，３６０，４６０，５６０，６６０，９６０  板状部材
６０ｅ１，６０ｅ２，２６０ｅ１，２６０ｅ２，３６０ｅ１，３６０ｅ２，４６０ｅ１，４６０ｅ２，５６０ｅ１，５６０ｅ２，６６０ｅ１，６６０ｅ２  板状部材の短辺側の端縁
６０ｓ，２６０ｓ，３６０ｓ，４６０ｓ，５６０ｓ  板状部材における基部２０とは反対側の面（患者の皮膚側の面）
６０ｗ，２６０ｗ，３６０ｗ，４６０ｗ，５６０ｗ  板状部材における基部２０側の面
６２，２６２，３６２，４６２，５６２，６６２  通過部
６４ａ，６４ｂ，１６４ａ，１６４ｂ，１６４ｃ，２６４ａ〜２６４ｄ，３６４ａ，３６４ｂ，４６４ａ〜４６４ｄ，５６４ａ〜５６４ｄ  溝部
７０  翼部
７２，７４  把持部
７７，７８  薄肉部
８０  針カバー部材
８２  第１格納部
８３  切り欠き
８４  第２格納部
６６４ａ，６６４ｂ  湾曲部
６６８  平面部
ＡＰ  アクセスポート
ａ１，ａ２  アクセスポートの上面端部
ＣＡ  中央領域
ＥＡ  端部領域
ＧＷ  溝部６４ａ，６４ｂのｘ軸方向に沿った幅
ｇ  （患者の皮膚と板状部材との間に生じる）空隙
ｈ  突起の突出高さ
Ｌ  板状部材６０のｘ軸方向に沿った長さ
Ｌ１  短辺側の一方端縁６０ｅ１から溝部６４ａの中間位置までのｘ軸方向に沿った長さ
Ｌ２  溝部６４ａの中間位置から溝部６４ｂの中間位置までのｘ軸方向に沿った長さ
Ｌ３  溝部６４ｂの中間位置から短辺側の他方端縁６０ｅ２までのｘ軸方向に沿った長さ
Ｐ１  セプタム
Ｐ２  ポート筐体部
ＲＬ  突起の長さ
ＲＴ  隣り合う突起との配置間隔
ＲＷ  突起の幅
Ｓ  患者の皮膚
【図１】
2010162172.tif 000003
【図２】
2010162172.tif 000004
【図３】
2010162172.tif 000005
【図４】
2010162172.tif 000006
【図５】
2010162172.tif 000007
【図６】
2010162172.tif 000008
【図７】
2010162172.tif 000009
【図８】
2010162172.tif 000010
【図９】
2010162172.tif 000011
【図１０】
2010162172.tif 000012
【図１１】
2010162172.tif 000013
【図１２】
2010162172.tif 000014
【図１３】
2010162172.tif 000015
【図１４】
2010162172.tif 000016
【図１５】
2010162172.tif 000017
【図１６】
2010162172.tif 000018
【図１７】
2010162172.tif 000019
【図１８】
2010162172.tif 000020
【図１９】
2010162172.tif 000021
【図２０】
2010162172.tif 000022
【図２１】
2010162172.tif 000023
【図２２】
2010162172.tif 000024
【図２３】
2010162172.tif 000025
【図２４】
2010162172.tif 000026
【図２５】
2010162172.tif 000027
【図２６】
2010162172.tif 000028